(57)【特許請求の範囲】
【請求項１】
透明基板と、前記透明基板上に設けられ、有機発光材料を含む有機層で構成される発光部と、前記発光部に電流を供給するために、電極部から前記発光部に接続されるように、前記透明基板上に配線される電極線とを備え、前記発光部に電流が供給されると、前記発光部が発光し、この発光により表示を行う発光表示部を、ファインダー窓から観察させるファインダー装置において、前記電極線は透明電極線であって、かつその線幅が８μｍ以下であり、前記透明基板上には複数の前記電極線が配線され、前記複数の電極線は互いに並行して１００μｍ以上離間されて配線され、
前記電極線は、陰極線および陽極線からなり、前記発光部と前記発光部に接続された前記電極部との間に、１つの前記発光部に対して前記陰極線と前記陽極線の少なくとも一方が複数本ずつ配線され、接眼レンズを通して観察されることを特徴とするファインダー装置。
【請求項２】
前記発光表示部は、被写体からの反射光を透過し、被写体観察に使用される撮影視野領域を含み、
前記複数の電極線は、前記撮影視野領域において、互いに並行して１００μｍ以上離間されて配線されることを特徴とする請求項１に記載のファインダー装置。
【請求項３】
前記発光表示部は、被写体からの反射光を透過し、被写体観察に使用される撮影視野領域を含み、
前記電極線の線幅は前記撮影視野領域において８μｍ以下となることを特徴とする請求項１に記載のファインダー装置。
【請求項４】
前記発光部は陽極層、前記有機層、及び陰極層が順に積層されて構成され、
前記陽極層及び陰極層の少なくとも一方は、前記複数の電極線に接続されることを特徴とする請求項１に記載のファインダー装置。
【請求項５】
前記ファインダー装置は一眼レフカメラのファインダー装置であり、前記発光表示部は前記対物レンズの像が結像されるピント板近傍で、被写体からの光が通過する光路に交差する横断領域上に配置されることを特徴とする請求項１に記載のファインダー装置。
【発明の詳細な説明】
【技術分野】
【０００１】
本発明は、有機エレクトロルミネセンス素子が組み込まれたファインダー装置に関する。
【背景技術】
【０００２】
従来、一眼レフカメラにおいて、ペンタプリズムと焦点板の間の被写体結像位置近傍に有機エレクトロルミネセンス素子（以下、有機ＥＬ素子という）が配置されることが知られている。この有機ＥＬ素子は、被写体観察を行うための撮影視野領域に発光部が設けられ、その発光部によってフォーカスフレーム等の各種マークが発光させられている（特許文献１参照）。
【０００３】
発光部は、陽極層、有機層、陰極層が積層されて構成されると共に、各発光部の陽極層、陰極層それぞれには発光表示部の外部から電流を供給するための電極線が接続される。発光部は、撮影視野領域内に設けられるため、電極線もその一部がファインダー装置の撮影視野領域に配線されることとなる。ここで、電極線は、透明材料から形成されるので、被写体からの光を透過し、電極線が設けられた部分でも被写体観察を行うことができる。
【特許文献１】特許第３５３９２５１号公報
【発明の開示】
【発明が解決しようとする課題】
【０００４】
しかし、上記ファインダー装置において、撮影視野領域に配線される電極線は、被写体からの光を透過することはできるが、完全に透過できるわけではなく、撮影者によってその存在が認識され、被写体観察の妨げとなる。
【０００５】
そこで、本発明は、上記問題点に鑑みて成されたものであり、有機ＥＬ素子から成る発光表示部が内部に配置されるファインダー装置において、発光表示部に配線される電極線が被写体観察の妨げとならないようにすることを目的としたものである。
【課題を解決するための手段】
【０００６】
本発明に係るファインダー装置は、透明基板と、透明基板上に設けられ、有機発光材料を含む有機層で構成される発光部と、発光部に電流を供給するために、発光部に接続されるように、透明基板上に配線される電極線とを備え、発光部に電流が供給されると、発光部が発光し、この発光により表示を行う発光表示部を、ファインダー窓から観察させるファインダー装置において、電極線は透明電極線であって、かつその線幅が８μｍ以下であることを特徴とする。
【０００７】
透明基板上には複数の電極線が配線され、複数の電極線は互いに１００μｍ以上離間されて配線されることが好ましい。
【０００８】
発光表示部は、被写体からの反射光を透過し、被写体観察に使用される撮影視野領域を含む。この場合、複数の電極線は、撮影視野領域において、互いに１００μｍ以上離間されて配線されていれば良く、撮影視野領域の外部では、例えば、基板の小スペース化を図る目的で、互いに１００μｍ以下に近接されていても良い。
【０００９】
同様に、電極線の線幅は撮影視野領域において８μｍ以下となれば良く、撮影視野領域の外部では、例えば、電気抵抗を抑える目的で、その線幅を８μｍ以上としても良い。
【００１０】
発光部は陽極層、有機層、及び陰極層が順に積層されて構成される。ここで、上記同一の陽極層、又は同一の陰極層には、複数の電極線が接続されることが好ましい。この場合、同一の陽極層又は同一の陰極線に接続された複数の陽極線は、互いに１００μｍ以上離間されていることが好ましい。なお、互いに１００μｍ以上離間された複数の電極線は、並行して配線されることが好ましい。
【発明の効果】
【００１１】
本発明では、発光表示部に配線される電極線を透明電極線にするとともに、その線幅を８μｍ以下とすることにより、電極線を視認しにくくし、電極線が被写体観察の妨げとなることを防止する。
【発明を実施するための最良の形態】
【００１２】
以下本発明の実施形態について図面を用いて詳細に説明する。
図１は、本実施形態が適用された一眼レフカメラのファインダー装置を示す。なお、以下の説明においては、一眼レフカメラに適用された場合を説明するが、本発明は、顕微鏡、コンパクトカメラ等のその他の光学機器にも適用することが可能である。
【００１３】
ファインダー装置１０は、対物レンズ１１と、クイックリターンミラー１２と、ピント板１３と、ペンタプリズム１４と、接眼レンズ１５と、発光表示部１６と、ファインダー窓１７とを備える。
【００１４】
被写体で反射された反射光は、対物レンズ１１を介して、クイックリターンミラー１２で反射され、ピント板１３に導かれ、ピント板１３で一旦結像される。その後上記反射光は、ペンタプリズム１４で２回反射され、接眼レンズ１５を介してファインダー窓内１７に入射される。クイックリターンミラー１２はレリーズスイッチ（不図示）が押されると、光路上から退避させられ、対物レンズ１１によって導かれた反射光は、ＣＣＤやフィルム等に導かれ、これらを露光する。
【００１５】
発光表示部１６は、有機ＥＬ素子から構成され、ピント板１３と、ペンタプリズム１４の間で、被写体からの光が通過する光路に交差する横断領域上に配置される。すなわち、発光表示部１６は被写体結像位置近傍に配設される。発光表示部１６の各発光部から発せられた光も、ペンタプリズム１４、接眼レンズ１５を介してファインダー窓１７内に入射される。各発光部は、発光表示部１６の図１における下面側に設けられ、発光表示部１６からの光は、透明基板３１（図２参照）を介してファインダー窓１７に入射される。なお、発光表示部１６は、クイックリターンミラー１２とピント板１３の間に配置することも可能である。
【００１６】
発光表示部１６の模式的な平面図を図２に示す。発光表示部１６は、矩形のファインダー視野領域２１と、ファインダー視野領域２１の上下左右の外側を囲み、矩形の枠状に形成されたファインダー視野外領域２４とから構成される。ファインダー視野領域２１は、ファインダー窓１７から視認可能であるが、ファインダー視野外領域２４はファインダー窓１７から視認することができない領域である。
【００１７】
矩形のファインダー視野領域２１は、被写体を観察するための矩形の撮影視野領域２２と、その撮影視野領域２２の上下左右の外側を囲み、矩形の枠状に形成される情報表示領域２３とから構成される。撮影視野領域２２は被写体からの反射光が入射し、透過される領域であって、被写体観察に使用される光透過領域である。情報表示領域２３は、不図示の遮光マスクによって被写体からファインダー窓１７（図１参照）に入射される光が遮光される領域であるが、必要に応じて発光部が設けられ各種情報が発光表示されても良い。各種情報としては、撮影に利用される露光値、撮影モードやストロボ発光の有無を示す各種シンボルマークである。
【００１８】
発光表示部１６には、複数の発光部２６Ａ〜２６Ｌが設けられる。発光部２６Ａ、２６Ｌは、撮影視野領域２２の中心点Ｐを挟むように、中心点Ｐを重心とする仮想矩形Ｒの内部に設けられると共に、発光部２６Ｂ〜２６Ｉそれぞれは仮想矩形Ｒの辺上に設けられる。具体的には仮想矩形Ｒの各隅部に発光部２６Ｂ〜２６Ｅが設けられると共に、仮想矩形Ｒの左右上下の各辺の中央に発光部２６Ｆ〜２６Ｉが設けられる。発光部２６Ｊ、２６Ｋは、仮想矩形Ｒの外側に設けられ、仮想矩形Ｒの左右両側に仮想矩形Ｒを挟むように設けられる。
【００１９】
発光表示部１６は透明基板３１で構成され、透明基板３１の上に、陽極層及び陰極層に挟持された有機層が設けられて、上記各発光部２６Ａ〜２６Ｌが形成される。各発光部２６Ａ〜２６Ｌは、それぞれ独立して積層された有機層から構成される。そして、発光部２６Ａ〜２６Ｋは、独立に電流供給を制御可能な陽極線に接続されているため、それぞれ独立に発光制御可能である。一方、発光部２６Ｌは、後述するように、発光部２６Ｌに電流を供給するための陽極線２７Ｌが発光部２６Ａの陽極層に接続されているため、独立に発光制御することができず、発光部２６Ｌの発光・非発光の切替は、発光部２６Ａの発光・非発光の切替に追従する。
【００２０】
本実施形態における一眼レフカメラでは、発光部２６Ａ〜２６Ｌは合焦ポイントとして使用される。したがって、例えばオートフォーカスで撮影が行われるとき、各発光部２６Ａ〜２６Ｌの位置における測距が行われ、ピントが合った位置に対応する１つの発光部２６Ａ〜２６Ｌが発光させられる。ただし、撮影視野領域２２の中央にピントがあった場合は、発光部２６Ａ及び２６Ｌの両方が発光する。
【００２１】
透明基板３１上には、さらに各有機層に電流を供給するための電極線、すなわち、陽極線及び陰極線が配線される。なお、図２において陽極線は実線で、陰極線は点線で示す。本実施形態では、陽極線として、発光表示部１６の外部に設けられた電源部に電気的に接続される複数の陽極線２７Ａ〜２７Ｌが配線される。
【００２２】
上記複数の陽極線のうち、陽極線２７Ａ〜２７Ｊは、ファインダー視野外領域２４及び情報表示領域２３を介して、撮影視野領域２２の上辺２２Ｕから、垂直下向きに撮影視野領域２２の内部に延出する。陽極線２７Ａ〜２７Ｊは、上辺２２Ｕから垂直方向に直線的に延びて、或いは上辺２２Ｕから垂直方向に直線的に延びた後適宜屈曲等されて、各発光部２６Ａ〜２６Ｊまで配線される。一方、上記複数の陽極線のうち、陽極線２７Ｋは、撮影視野領域２２の右辺２２Ｒから発光部２６Ｋまで配線される。また、陽極線２７Ｌは、撮影視野領域２２の内部で発光部２６Ａ、２６Ｌの間に配線される。
【００２３】
各発光部２６Ａ〜２６Ｋまで延出する各陽極線２７Ａ〜２７Ｋの先端部は、発光部の形状に合わせて形成されており、上述した陽極層として形成される。なお、陽極線２７Ｌは、一端が発光部２６Ａの陽極層に接続されると共に、他端が発光部２６Ｌまで延び、発光部２６Ｌにおいてその他端が陽極層として形成される。
【００２４】
各発光部２６Ａ〜２６Ｌにおける陽極層の上方には、有機層が重ねられて積層され、その有機層の上には、さらに陰極層が重ねられて積層される。なお、有機層及び陰極層は、発光部の形状に沿って形成されている。
【００２５】
陰極線は、主陰極線２８と、複数の分岐陰極線２９Ａ〜２９Ｅと、接続陰極線３０Ａ〜３０Ｆとから構成される。主陰極線２８は、撮影視野領域２２の外部（すなわち、ファインダー視野外領域２４及び情報表示領域２３）に配線されると共に、発光表示部１６の外部に設けられた電極部に電気的に接続される。主陰極線２８は、分岐陰極線２９Ａ〜２９Ｅ及び接続陰極線３０Ａ〜３０Ｆそれぞれの線幅より大きい線幅を有し、例えばその線幅は８μｍより大きい。
【００２６】
分岐陰極線２９Ａ〜２９Ｅは、主陰極線２８から分岐されて形成され、撮影視野領域２２の下辺２２Ｄを介して、撮影視野領域２２の外部から内部に延出する。分岐陰極線２９Ａ〜２９Ｅそれぞれは、垂直上向きに並行して発光部２６Ｊ、２６Ｄ、２６Ｉ、２６Ｅ、２６Ｋまで延出し、その発光部２６Ｊ、２６Ｄ、２６Ｉ、２６Ｅ、２６Ｋそれぞれにおいて、有機層の上に積層された陰極層に接続される。
【００２７】
接続陰極線３０Ａ〜３０Ｆそれぞれは、分岐陰極線が接続されない発光部を外部の電源部に電気的に接続するために、所定の発光部の間において、垂直方向に延びて配線される。例えば、接続陰極線３０Ａ、３０Ｃそれぞれは、発光部２６Ｄ、２６Ｆの間、及び発光部２６Ｅ、２６Ｇの間それぞれに配線され、一端それぞれが発光部２６Ｄ、２６Ｅの陰極層に接続され、他端それぞれが発光部２６Ｆ、２６Ｇの陰極層に接続される。また、接続陰極線３０Ｄ、３０Ｆそれぞれも、同様に、発光部２６Ｂ、２６Ｆの間、及び発光部２６Ｃ、２６Ｇの間に配線される。
【００２８】
また、接続陰極線３０Ｂは、発光部２６Ｉと、発光部２６Ａ、２６Ｌとの間に配線され、その一端が発光部２６Ｉの陰極層に接続されると共に、他端が２つに分岐され、その分岐された接続陰極線はそれぞれ発光部２６Ａ，２６Ｌの陰極層に接続される。接続陰極線３０Ｅは、同様に、一端が２つに分岐され、その分岐された接続陰極線はそれぞれ発光部２６Ａ，２６Ｌに接続されると共に、他端が発光部２６Ｈに接続されている。
【００２９】
以上のような構成により、各発光部２６Ａ〜２６Ｌは、分岐陰極線を介して、或いは、分岐陰極線、接続陰極線、及び陰極層を介して、主陰極線２８に電気的に接続され、各発光部２６Ａ〜２６Ｌには、電源部から電流を供給することが可能となる。
【００３０】
各電極線（すなわち、陽極線及び陰極線）は、ITO（Indium Tin Oxide）、ATO(antimony doped tindioxide)、ZnO（zinc oxide）、IZO(Indium Zinc Oxide)等の透明導電性金属化合物から形成され、透明電極線として構成される。また、有機層は、正孔輸送層、有機発光材料で構成される有機発光層、電子輸送材料で構成される電子輸送層等が積層されて構成され、それぞれ赤、緑、青、白色等の所定の光を発するように構成される。なお、陽極層は上述したように、陽極線２７Ａ〜２７Ｋと一体的に透明導電性金属化合物から形成され、透明電極層として構成される。一方、陰極層は、例えばアルミニウム、インジウム、マグネシウム、カルシウム、チタニウム、イットリウム、リチウム、及びこれらの合金等の非透過性の陰極金属材料から形成され、非透明電極層として構成されるが、勿論上記透明導電性金属化合物等によって形成され透明電極層として構成されても良い。
【００３１】
陽極線２７Ａ〜２７Ｋは、図２から明らかなように、撮影視野領域２２の外側（すなわち、ファインダー視野外領域２４及び情報表示領域２４）において、互いに近接して水平方向に延びて配線され、隣接する陽極線２７Ａ〜２７Ｋ同士は、例えば、所定距離Ｍ未満に近接して配線される。
【００３２】
このように近接して配線された陽極線２７Ａ〜２７Ｊは、撮影視野領域２２の外側において離間され、上辺２２Ｕにおいては、隣接する陽極線２７Ａ〜２７Ｊは、互いに所定距離Ｍ以上離間された状態となる。そして、陽極線２７Ａ〜２７Ｊは、その所定距離Ｍ以上離間された状態を維持したまま各発光部まで配線される。すなわち、撮影視野領域２２の内部において、各陽極線２７Ａ〜２７Ｊは互いに、所定距離Ｍ以上離間されて配線されている。なお、陽極線２７Ｋ及び陽極線２７Ｌも同様に、撮影視野領域２２の内部においては、他の陽極線２７Ａ〜２７Ｌから所定距離Ｍ以上離間して配線される。
【００３３】
本実施形態では、上記陽極線２７Ａ〜２７Ｊは、陽極線が２本ずつ相対的に近接して一纏まりとなって、上辺２２Ｕから垂直下向きに延びるとともに、一纏まりとなった２本の陽極線は他の陽極線から相対的に大きく離間して配置される。ただし、一纏まりとなって近接する２本の陽極線も、上述したように、所定距離Ｍ以上離間して配線される。例えば、陽極線２７Ｃ、２７Ｉは一纏まりとなって垂直下向きに並行して延びるが、これらも所定距離Ｍ以上離間している。また、陽極線２７Ｃ、２７Ｉそれぞれは、これらに隣接する陽極線２７Ｇ、２７Ｈに対しては相対的に大きく離間される。
【００３４】
同様に、撮影視野領域２２において、各陰極線（すなわち、分岐陰極線２９Ａ〜２９Ｅ、及び接続陰極線３０Ａ〜３０Ｆ）も互いに、所定距離Ｍ以上離間されて配線されている。また、接続陰極線３０Ｂ、３０Ｅの分岐された部分は、水平方向に延びた後、垂直方向に延びるが、その垂直方向に延びる部分同士も、所定距離Ｍ以上離間される。
【００３５】
例えば、各分岐陰極線２９Ａ〜２９Ｅは、下辺２２Ｄにおいて、所定距離Ｍ以上離間されており、その所定距離Ｍ以上離間された状態を維持したまま、各発光部２６Ｊ、２６Ｄ、２６Ｉ、２６Ｅ、２６Ｋまで並行して配線される。また、例えば、接続陰極線３０Ｂは、その左右に並行して配線される接続陰極線３０Ａ、３０Ｃから所定距離Ｍ以上離間されている。
【００３６】
さらに、本実施形態では、各陽極線２７Ａ〜２７Ｌそれぞれは、各陰極線（すなわち、分岐陰極線２９Ａ〜２９Ｅ、接続陰極線３０Ａ〜３０Ｆ）それぞれからも所定距離Ｍ以上離間されて配置されている。
【００３７】
例えば、図２に示すように、撮影視野領域２２において陽極線２７Ｉは、所定距離Ｍ以上の距離である距離Ｄ１離間されつつ、陽極線２７Ｃ、さらには接続陰極線３０Ｆ、３０Ｃに並行して配線される。また、例えば、撮影視野領域２２において陽極線２７Ｅは距離Ｄ２離間しつつ陽極線２７Ｇに並行して垂直下向きに延びた後、距離Ｄ３離間しつつ分岐陰極線２９Ｅに並行して垂直方向に配線され、距離Ｄ２、Ｄ３は、所定距離Ｍ以上の距離に設定される。
【００３８】
撮影視野領域２２の内部における各陽極線２７Ａ〜２７Ｌ、及び各陰極線（すなわち、分岐陰極線２９Ａ〜２９Ｅ、接続陰極線３０Ａ〜３０Ｆ）の線幅は８μｍ以下に設定され、好ましくは７μｍ以下に設定される。撮影視野領域における電極線の線幅を上記範囲にすることにより、ファインダー窓から発光表示部を観察したとき、撮影視野領域において、陰極線及び陽極線が視認できにくくなる。
【００３９】
上記した所定距離Ｍは１００μｍであって、好ましくは３００μｍである。すなわち、撮影視野領域２２の内部において、各電極線（陽極線２７Ａ〜２７Ｌ、分岐陰極線２９Ａ〜２９Ｅ、接続陰極線３０Ａ〜３０Ｆ）は、互いに、１００μｍ以上、好ましくは３００μｍ以上離間されて配線されることとなる。電極線を上記範囲より小さい離間距離で配線すると、電極線の線幅を８μｍ以下に設定しても、並行して配線される２本又はそれ以上の電極線が１本の纏まった電極線として視認され、観察者の被写体観察の妨げとなる。
【００４０】
以上のように、本実施形態においては、撮影視野領域において、各透明電極線の線幅を狭くすると共に、各電極線同士の離間距離を広くすることにより、観察者がファインダー窓を覗いたときに、電極線を視認しにくくすることができる。
【００４１】
なお、本明細書における電極線の線幅とは、電極線を上方から見たときに、一方の最縁部から他方の最縁部までの長さをいい、例えば、図３に示すように、下辺が上辺より長い断面台形形状を呈する場合、線幅は下辺における幅Ｗをいう。
【００４２】
また、本実施形態では、例えば、発光部２６Ｆには、陽極線２７Ｆ及び陰極線３０Ａ、３０Ｄが接続されており、発光部２６Ｆ近傍においては、陽極線２７Ｆ、陰極線３０Ａ、３０Ｄそれぞれは、所定距離Ｍ以下に近接されることもある。しかし、本明細書では、同一の発光部に接続されることによって、他の電極線に所定距離Ｍ以下に近接する電極線であっても、その発光部近傍以外の部分が他の電極線から所定距離Ｍ以上離間していれば、上述した「所定距離Ｍ以上離間して配線される電極線」とする。
【００４３】
図４は、本発明に係る第２の実施形態に係る発光表示部の右側部分の拡大平面図である。以下第２の実施形態について第１の実施形態との相違点を説明する。
【００４４】
本実施形態では、撮影視野領域２２において上辺２２Ｕから、同一の発光部それぞれに向けて並行して延びる２本の陽極線が配線される。同一の発光部に向けて延びる２本の陽極線の先端部は、発光部近傍において近づけられると共に、発光部において接続されて１つの陽極層として形成される。ここで、並行して配線される２本の陽極線は、上述した所定距離Ｍ以上離間されている。
【００４５】
例えば図４に示すように、撮影視野領域２２において、陽極線２７Ｇ１、２７Ｇ２は、所定距離Ｍ以上離間されて互いに略平行に、上辺２２Ｕから発光部２６Ｇに向けて延出する。陽極線２７Ｇ１、２７Ｇ２は、その先端部が発光部２６Ｇ近傍において近づけられて接続され、その接続部分が１つの陽極層として形成される。陽極層の上には、第１の実施形態と同様に有機層、及び陰極層が順に積層される。
【００４６】
同様に、発光部２６Ｊ、２６Ｄ、２６Ｉ（図２参照）、２６Ｅ、２６Ｋそれぞれに向けても、並行する分岐陰極線が２本ずつ主陰極線２８から延ばされる。ここで、同一の発光部に向けて延びる２本の分岐陰極線は、所定距離Ｍ以上離間されて並行しつつ、各発光部に向けて延びると共に、その先端部は、発光部近傍において近づけられ、発光部において１つの陰極層に接続される。
【００４７】
例えば、発光部２６Ｅに向けては、互いに所定距離Ｍ以上離されて並行された２本の分岐陰極線２８Ｅ１、２８Ｅ２が主陰極線２８から垂直上向きに延出されている。２本の分岐陰極線２８Ｅ１、２８Ｅ２は、発光部２６Ｅ近傍で近づけられ、発光部２６Ｅに積層された１つの陰極層に接続される。
【００４８】
また、所定の発光部の間に配線される接続陰極線としても、２本の陰極線が所定距離Ｍ以上離間しつつ並行して配線される。例えば、発光部２６Ｅ、２６Ｇの間には、所定距離Ｍ以上離されて垂直方向に延びる接続陰極線３０Ｃ１、３０Ｃ２が配線される。接続陰極線３０Ｃ１、３０Ｃ２は、それらの一端が発光部２６Ｅの近傍において近づき、発光部２６Ｅの陰極層に接続されると共に、それらの他端が発光部２６Ｇの近傍において近づき、発光部２６Ｇの陰極層に接続される。また例えば発光部２６Ｃと２６Ｇの間に配線される接続陰極線３０Ｆ１、３０Ｆ２も同様に、所定距離Ｍ以上離されて並行して配線され、それらの両端は発光部２６Ｃ、２６Ｇの陰極層に接続される。
【００４９】
上記所定距離Ｍは、第１の実施形態と同様に、１００μｍ、好ましくは３００μｍであって、すなわち、撮影視野領域２２において、同一の発光部に向けて並行して延びる２本の陽極線、又は２本の陰極線は１００μｍ以上、好ましくは３００μｍ以上離間されている。なお、本実施形態でも、第１の実施形態と同様に、撮影視野領域２２における、その他の各電極線同士も、１００μｍ以上であって、好ましくは３００μｍ以上離間されている。
【００５０】
陽極線の線幅が上述したように細く設定されると、断線のおそれや抵抗値の増大を招くが、本実施形態では、各陽極層には電流供給のための２本の陽極線が接続される。したがって、各発光部には、２本の陽極線を介して電流が供給され、抵抗値の増大を防止することができる。また、同一の発光部に接続される２本中１本の陽極線に断線が発生しても、他の１本の陽極線によって発光部に電流を供給することができるので、断線による発光部の発光停止が防止できる。陰極線についても、同様に、各発光部に電流供給のための２本の陰極線が接続されるので、抵抗値の増大及び断線による発光部の発光停止が防止できる。
【００５１】
なお、第１及び第２の実施形態において、陽極線と陰極線は逆にされても良く、陽極線が外部の電源部に接続される１本の主電極線から複数の分岐電極線に分岐されて構成されると共に、陰極線が外部の電源部に接続される複数の電極線から構成されても良い。また、第２の実施形態においては、各陽極層及び各陰極層それぞれに、電流供給のための２本の電極線が接続されたが、いずれか一方のみに２本の電極線が接続され、他方には１本の電極線のみが接続されても良い。勿論、各陽極層及び各陰極層それぞれには、電流供給のための３本以上の陽極線及び３本以上の陰極線が接続されていても良い。
【実施例】
【００５２】
次に、本発明の効果を確認するために以下に示す実施例を実施したが、本発明は以下に示す実施例に限定されるわけではない。
【００５３】
［実施例１］
実施例１においては、図５に示すパターンの電極線及び陽極層を、透明基板１００の上に配線させた。透明基板１００としては、１４ｍｍ×２７ｍｍ、透過率８５％のガラス基板を使用した。実施例１においては、透明基板１００の上に、円形にパターニングされた第１〜第６の陽極層１０１〜１０６を形成した。第１及び第４の陽極層１０１、１０４は、透明基板１００の左側部分に上下に並べられ、その直径が０．３ｍｍであった。第２及び第５の陽極層１０２、１０５は透明基板１００の中央部分で上下に並べられ、その直径が０．５ｍｍであった。第３及び第６の陽極層１０３、１０６は、透明基板１００の右側部分に上下に並べられ、直径が０．７ｍｍであった。
【００５４】
第１〜第３の陽極層１０１〜１０３それぞれの上端には、垂直方向に２本並行して延びる電極線１０７、１０８を接続させた。第１〜第３の陽極層１０１〜１０３それぞれに接続される２本の電極線１０７、１０８の離間距離は１０μｍ、３０μｍ、１００μｍであった。また、第４〜第６の陽極層１０４〜１０６のそれぞれの上端には、垂直方向に１本単線で延びる電極線１０９を接続させた。なお、第１〜第３の陽極層１０１〜１０３に各々接続される電極線１０７、１０８の長さは４ｍｍであった。また、同様に、第４〜第６の陽極層１０４〜１０６に接続される電極線の長さも、４ｍｍであった。
【００５５】
透明基板１００の左側部分、中央部分、右側部分それぞれにおいては、２つの陽極層の左側に、陽極層から２ｍｍ程度離間し、透明基板１００の上端から下端まで垂直方向に延びる電極線１１０を１本単線で配線した。また、これら電極線１１０のさらに左側には、電極線１１０から２ｍｍ程度離間した位置において、透明基板１００の上端から下端まで垂直方向に、２本並行して延びる電極線１１１、１１２を配線した。このとき、並行する２本の電極線１１１、１１２の離間距離は、左側からそれぞれ１０μｍ、３０μｍ、１００μｍであった。
【００５６】
実施例１における各電極線１０７〜１１２の線幅実測値は６．０μｍであった。また、上記各電極線１０７〜１１２、及び陽極層１０１〜１０６はＩＴＯをスパッタ法により成膜した後、フォトリソグラフィーにより所定のパターンにパターニングした。このとき、透明基板には、所定のマスクを被せてパターニングしたが、各電極線を形成するための開口幅は９μｍであった。なお、第１〜第６の陽極層１０１〜１０６それぞれの右側には、２本並行して、又は１本単線で水平方向に延びる電極線を配線したが、これら電極線については評価を行わなかった。
【００５７】
［実施例２］
実施例２においては、各電極線１０７〜１１２の線幅実測値を、７．５μｍにした以外は実施例１と同様にして実施した。なお、電極線を形成するときに使用されるマスクにおいて、各電極線を形成するための開口幅は１１μｍであった。
【００５８】
［比較例１］
比較例１においては、各電極線１０７〜１１２の線幅実測値を、８．５μｍにした以外は実施例１と同様にして実施した。なお、電極線を形成するときに使用されるマスクにおいて、各電極線を形成するための開口幅は１３μｍであった。
【００５９】
［評価方法］
上記実施例１〜２、及び比較例１の透明基板１００を、一眼レフカメラ（ペンタックス社製、商品名．*istD）のファインダー装置内の被写体結像位置近傍に配置した。そして、無差別に観察者を抽出し、観察者が各電極線を視認できたか否かを確認した。その結果を表１に示す。なお、本評価においては、透明基板１００は、陽極層及び電極線が形成された面とは反対側の面から観察されたため、図５に示す平面図とは左右が反転して観察された。
【００６０】
【表１】
0005388262.tif 000002
※表１の各欄において、左下の数字は電極線が見えた人の割合。右下の数字は電極線の全幅。
※電極線の見えた人の割合が２０％未満の場合は◎、２０％以上５０％未満の場合は○、５０％以上９０％未満の場合は△、９０％以上の場合は×とした。
【００６１】
比較例１のように、各電極線の線幅を８．５ｍｍとすると、電極線を単線で配線した場合、及び２本並行させて配線した場合のいずれにおいても、半数以上の観察者によって電極線が視認された。
【００６２】
一方、実施例２に示すように、電極線の線幅を、７．５ｍｍとすると、電極線を単線で配線した場合、及び２本並行させかつその離間距離を１００μｍ以上とした場合、半数未満の人のみに電極線が視認された。また、実施例１に示すように、電極線の線幅を、６．０ｍｍとすると、電極線を単線で配線した場合、及び２本並行させかつその離間距離を１０、３０、１００μｍ以上としたときのいずれの場合においても、半数未満の人のみに電極線が視認された。
【００６３】
以上の評価結果から明らかなように、本発明においては、ファインダー装置に透明基板を配置したとき、電極線の線幅を８μｍ以下にすると、観察者によって視認されにくくなることが理解できる。また、電極線を２本並行させる場合、その２本の電極線同士の離間距離は１００μｍ以上にすると、観察者によって視認されにくくなることも理解できる。
【図面の簡単な説明】
【００６４】
【図１】カメラのファインダー装置の平面図である。
【図２】第１の実施形態における発光部の平面図である。
【図３】電極線の断面図である。
【図４】第２の実施形態における発光表示部の平面図である。
【図５】実施例１において、陽極層及び各電極線が形成された透明基板を示す平面図である。
【符号の説明】
【００６５】
１０  ファインダー装置
１６  発光表示部
１７  ファインダー窓
２２  撮影視野領域
２６Ａ〜２６Ｌ  発光部
２７Ａ〜２７Ｌ  陽極線
２８  主陰極線
２９Ａ〜２９Ｅ  分岐陰極線
３０Ａ〜３０Ｆ  接続陰極線
３１  透明基板
【図１】
0005388262.tif 000003
【図２】
0005388262.tif 000004
【図３】
0005388262.tif 000005
【図４】
0005388262.tif 000006
【図５】
0005388262.tif 000007